(57)【要約】【目的】湿気による腐食、シロアリによる食害を防げ、耐火性に優れ、また加工精度も高く軽量であることから施工性にも優れ、更には強度も高く釘着やボルトによる緊締にも好適な建造物の基礎構造物を提供すること。【構成】請求項１記載の発明にかかる建造物の基礎構造物は、断面がほぼ矩形で空胴部を有する不錆性且つ不腐食性金属製枠材の該空胴部に合成樹脂材及び不燃材を封入して構成した。又、請求項２記載の発明では枠材の空洞部内に柱部を設けた。更には請求項３記載の発明では枠材の側面に接続金物を取り付けるための係止溝部を設けてある。【選択図】　　　　図１
2004068597.tif 000002
【特許請求の範囲】
【請求項１】
　断面がほぼ矩形で空胴部を有する不錆性且つ不腐食性金属製枠材の、該空胴部に合成樹脂材及び不燃材を封入してなる建造物の基礎構造物。
【請求項２】
　枠材の空洞部内に柱部を設けたことを特徴とする請求項１記載の建造物の基礎構造物。
【請求項３】
　枠材の側面に接続金物を取り付けるための係止溝部を設けたことを特徴とする請求項１又は２記載の建造物の基礎構造物。
【発明の詳細な説明】
【技術分野】
【０００１】
　本発明は土台、大引き、根太、火打ち土台等の建造物の基礎構造物に関する。　
【背景技術】
【０００２】
　建造物の基礎部分はコンクリートからなる布基礎の上面に沿って土台が載置されアンカーボルト等で固定されている。
【０００３】
　また、土台のコーナー部分には火打ち土台を設け補強が施されている。
【０００４】
　更には根太を受けるために大引きが設けられ、大引き上には大引きと直交する配置で根太を設けてあり、この根太の上に床板を取り付けることになる。
【０００５】
　これら建造物の基礎構造物たる土台、大引き、根太、火打ち土台等は木材を使用するのが一般的である。
【０００６】
　しかし、これら木材を使用した基礎構造物は長期間の使用により湿気による腐食が生じたり、シロアリの食害に遭い、耐久性に劣るという難点がある。また、加工精度が低く、重量であるため施工性にも難点がある。更には木材であるが故に耐火性にも問題がある。
【０００７】
　かかる難点を解決するため特開２００３−１６０９７８号公報記載の発明は、アルミニウム合金からなる押出形材により形成される建物用土台を提案している。また、特開平１０−３３１２５７号公報記載の発明は、発泡性合成樹脂製基材よりなる土台を提案している。
【特許文献１】特開２００３−１６０９７８号公報
【特許文献２】特開平１０−３３１２５７号公報
【発明の開示】
【発明が解決しようとする課題】
【０００８】
　１、　上記特開２００３−１６０９７８号公報記載の発明はアルミニウム合金により形成されることから湿気による腐食、シロアリによる食害を防げ、耐火性にも優れたものである。また、加工精度も高く軽量あることから施工性にも優れたものである。
【０００９】
　しかし、内部が空洞であるため強度が低く、また釘着がしづらく更にはボルトによる緊締にも不向きという難点がある。
【００１０】
　２、　特開平１０−３３１２５７号公報記載の発明は発泡性合成樹脂製基材によりなるものであり、湿気による腐食、シロアリによる食害を防げ、また軽量であり有用な発明といえる。
【００１１】
　しかし、耐火性にもとると共に加工精度が低いという難点がある。
【００１２】
　３、　そこで本発明は上記発明等が有する課題を解決することが可能な、すなわち湿気による腐食、シロアリによる食害を防げ、耐火性に優れ、また加工精度も高く軽量であることから施工性にも優れ、更には強度も高く釘着やボルトによる緊締にも好適な建造物の基礎構造物を提供することを目的とする。
【課題を解決するための手段】
【００１３】
　上記課題を解決するために請求項１記載の発明にかかる建造物の基礎構造物は、断面がほぼ矩形で空胴部を有する不錆性且つ不腐食性金属製枠材の該空胴部に合成樹脂材及び不燃材を封入して構成した。
【００１４】
　外枠が不錆性且つ不腐食性金属よりなるがゆえに湿気による腐食、シロアリによる食害を防げ、耐火性に優れ、また加工精度も高く、軽量であることから施工性にも優れたものになるのである。更には内部の空胴部に合成樹脂材及び不燃材が封入してあることから強度も高く、また釘着やボルトによる緊締にも好適であり、耐火性にも優れたものになるのである。
【００１５】
　又、請求項２記載の発明では枠材の空洞部内に柱部を設けてある。これにより強度が更に高くなるのである。
【００１６】
　更には請求項３記載の発明では枠材の側面に接続金物を取り付けるための係止溝部を設けてある。接続金物の取り付けが容易になることから更に施工性が優れたものとなるのである。
【発明の効果】
【００１７】
　本発明は以上のように構成されていることから湿気による腐食、シロアリによる食害を防げ、耐火性に優れ、また加工精度も高く軽量であることから施工性にも優れ、更には強度も高く釘着やボルトによる緊締にも好適な建造物の基礎構造物を提供することが可能となるのである。
【発明を実施するための最良の形態】
【００１８】
　以下、好ましい発明の実施形態につき図面を参照しながら述べる。
【００１９】
　図１は本発明に係る基礎構造物を施工した状態の概略説明図であり、図２は本発明を土台として実施した場合の斜視図であり、図３は本発明を大引きとして実施した場合の斜視図であり、図４本発明を根太として実施した場合の斜視図であり、図５は本発明を火打ち土台として実施した場合の斜視図であり、図６は土台のコーナー部分に使用する接続金物の斜視図であり、図７は土台に間柱を固定する際に使用する接続金物の斜視図であり、図８は土台と大引きを接続する際に使用する接続金物の斜視図である。
【００２０】
　請求項１記載に係る建造物の基礎構造物は断面がほぼ矩形で空胴部を有する不錆性且つ不腐食性金属製枠材の該空胴部に合成樹脂材及び不燃材を封入して構成してある。
【００２１】
　ここに枠材は不錆性且つ不腐食性を有するアルミニウム合金、チタン、ジュラルミン等を押出成形して形成したものを使用している。そして枠材内部の空胴部には合成樹脂材及び不燃材を封入してある。
【００２２】
　ここに合成樹脂材としては強化プラスチックを用いるのが好ましい。より具体的にはＦＲＰ（Ｆｉｂｅｒ　Ｒｅｉｎｆｏｒｃｅｄ　Ｐｌａｓｔｉｃｓ）等を使用することが考えられる。
【００２３】
　また不燃材としては、けい酸カルシウム素材のもの等が好ましい。
【００２４】
　封入方法は溶融したものを注入し固化させるといった方法、破砕したものを押入するといった方法あるいは両者を併用するといった方法が考えられる。
【００２５】
　又、請求項２記載の発明では枠材の空洞部内に柱部を設けてある。具体的には土台や大引きといった大きな重量を支える部材において、柱部を設けて重量に耐え得る強度を与えるのである。
【００２６】
　更には請求項３記載の発明では枠材の側面に接続金物を取り付けるための係止溝部を設けてある。具体的には土台の両側部の上辺及び下辺に係止溝部を設けることで接続金物を取りつけやすくし、土台同士や土台と大引き、土台と間柱等の接続固定を容易にするのである。
【００２７】
　以下、より具体的に述べる。
【００２８】
　図２に示すように土台１０は中空の板材であり、中空部には強度を増すために断面十字形の柱部１１が設けてある。また、接続金具を取り付けるための係止溝部１２が両側面に設けてある。中空部には合成樹脂材及び不燃材の混合物Ａが封入してある。
【００２９】
　図３に示すように大引き２０は中空の板材であり、中空部には強度を増すために柱部２１が設けてある。中空部には合成樹脂材及び不燃材の混合物Ａが封入してある。
【００３０】
　図４に示すように根太３０は中空の板材である。中空部には合成樹脂材及び不燃材の混合物Ａが封入してある。
【００３１】
　図５に示すように火打ち土台４０は中空の板材である。中空部には合成樹脂材及び不燃材の混合物Ａが封入してある。火打ち土台４０の下部は弯曲した形状に形成してある。弯曲形状にしてあるのは、火打ち土台を土台に取り付ける際に土台に設ける嵌め込み孔を穿設する切削機たるルーターの刃物が丸歯であるため、弯曲した形状の嵌め込み孔のほうが矩形の孔よりも切削しやすく、当該弯曲した形状の嵌め込み孔の形態に合わせたためである。
【００３２】
　以上のように構成される本発明を具体的に施工した状態を模式的に示したものが図１である。
【００３３】
　図１に示すように布基礎Ｂの上に土台１０を載置固定する（図中断面を示すため破断した状態を示してある）。また、土台１０間にわたり大引き２０を設置する（図中断面を示すため破断した状態を示してある）。大引き２０上には根太３０が複数本設置される（図中断面を示すため破断した状態を示してある）。また、コーナー部分には火打ち土台４０が設置される（図中断面を示すため破断した状態を示してある）。また土台１０上には間柱Ｃが固定される。
【００３４】
　土台のコーナー部分には図６に示すコーナー部分用の接続金物５０を介在させ土台を固定している。コーナーの内側部分には接続金物５０を、外側部分には接続金物５１（図１においては隠れている）を介在させるものである。
【００３５】
　接続金物５０、５１共に折曲した形状の板材であり、ボルト等を挿孔するための孔部５２が複数設けてある。各辺部５０ａ，５０ｂ，５１ａ，５１ｂを土台１０に設けた係止溝部１２に嵌め込み、そのうえで孔部５２にボルトを挿孔固着するのである。
【００３６】
　尚、コーナーの内側部分に使用する接続金物５０の一方辺部５０ｂは、その対角線上にある角部を円弧状に形成してある。これにより接続金物を土台１０の係止溝部１２に端面から嵌め込み滑らせて所望位置に持ってこずとも、接続金物を土台に取り付けることができるのである。つまり係止溝部１２の任意・所望位置に辺部５０ｂの円弧形状部の一方を嵌め、回転させながら他方円弧形状部を他方の係止溝部１２に嵌め込むことが可能となるのである。
【００３７】
　間柱Ｃは図７に示す間柱用の接続金物６０を用いて土台１０に固定されている。間柱用の接続金物６０は折曲した形状の板材であり、ボルト等を挿孔するための孔部６１が複数設けてある。
【００３８】
　大引き２０は図８に示す接続金物７０、７１により土台１０に固定されている。接続金物７０、７１は対称形状をなし、大引きの両側辺から大引きを支持固定するものである。
【００３９】
　接続金物７０、７１は折曲した三辺より成る板材であり、ボルト等を挿孔するための孔部７２が複数設けてある。辺部７０ａ、７１ａは土台１０の係止溝部１２に嵌め込み、辺部７０ｂ、７１ｂは大引き２０の両側面に取り付け、辺部７０ｃ、７１ｃは大引き２０の下辺に当接固着するものである。
【００４０】
　　尚、辺部７０ａ、７１ａは、その対角線上にある角部を円弧状に形成してある。これにより接続金物を土台１０の係止溝部１２に端面から嵌め込み滑らせて所望位置に持ってこずとも、接続金物を土台に取り付けることができるのである。つまり係止溝部１２の任意・所望位置に辺部７０ａ、７１ａの円弧形状部の一方を嵌め、回転させながら他方円弧形状部を他方の係止溝部１２に嵌め込むことが可能となるのである。
【図面の簡単な説明】
【００４１】
【図１】本発明に係る基礎構造物を施工した状態の概略説明図。
【図２】本発明を土台として実施した場合の斜視図。
【図３】本発明を大引きとして実施した場合の斜視図。
【図４】本発明を根太として実施した場合の斜視図。
【図５】本発明を火打ち土台として実施した場合の斜視図。
【図６】土台のコーナー部分に使用する接続金物の斜視図。
【図７】土台に間柱を固定する際に使用する接続金物の斜視図。
【図８】土台と大引きを接続する際に使用する接続金物の斜視図。
【符号の説明】
【００４２】
１０・・土台　　　１１・・柱部　　　１２・・係止溝部
２０・・大引き　　　２１・・柱部
３０・・根太　　　４０・・火打ち土台
【図１】
2004068597.tif 000003
【図２】
2004068597.tif 000004
【図３】
2004068597.tif 000005
【図４】
2004068597.tif 000006
【図５】
2004068597.tif 000007
【図６】
2004068597.tif 000008
【図７】
2004068597.tif 000009
【図８】
2004068597.tif 000010